(57)【要約】【課題】情報記録物の取り忘れによる情報の漏洩を抑制することができるデータ通信システムの制御方法を提供する。【解決手段】データ通信システム１００は、ユーザが所持する携帯端末１０２及び画像形成装置１０１の距離が所定の距離以上、つまり、「Ｎｅａｒ」又は「Ｆａｒ」であり、且つ原稿の画像形成装置１０１への残存が検知されたとき、携帯端末１０２の表示部３１１に原稿の取り忘れを示す警告メッセージを表示する。【選択図】図５Ｂ
2016111553.tif 000002
【特許請求の範囲】
【請求項１】
表示部を有すると共にユーザに所持される情報処理装置と、データ通信装置とを備え、前記情報処理装置及び前記データ通信装置が近距離無線通信を行い、前記ユーザは情報が記録された情報記録物を前記データ通信装置に配置するデータ通信システムの制御方法であって、
前記近距離無線通信によって送信された情報に基づいて前記情報処理装置及び前記データ通信装置の距離を測定する測定ステップと、
前記情報記録物の前記データ通信装置への残存を検知する検知ステップと、
前記測定された距離が所定の距離以上であり、且つ前記情報記録物の前記データ通信装置への残存が検知されたとき、前記情報処理装置の表示部に警告を表示させる表示制御ステップとを有することを特徴とするデータ通信システムの制御方法。
【請求項２】
前記測定ステップは、ＢＬＥ（Ｂｌｕｅｔｏｏｔｈ  Ｌｏｗ  Ｅｎｅｒｇｙ）を用いた近距離無線通信によって送信される電波の強さを示す情報に基づいて前記情報処理装置及び前記データ通信装置の距離を測定することを特徴とする請求項１記載のデータ通信システムの制御方法。
【請求項３】
前記所定の距離は、前記ＢＬＥを用いた近距離無線通信可能な距離を含むことを特徴とする請求項２記載のデータ通信システムの制御方法。
【請求項４】
前記情報記録物は、原稿、印刷物、及び記録媒体からなる群から選択された少なくとも１つであることを特徴とする請求項１乃至３のいずれか１項に記載のデータ通信システムの制御方法。
【請求項５】
表示部を有すると共にユーザに所持される情報処理装置と、データ通信装置とを備え、前記情報処理装置及び前記データ通信装置が近距離無線通信を行い、前記ユーザは情報が記録された情報記録物を前記データ通信装置に配置するデータ通信システムの制御方法をコンピュータに実行させるプログラムであって、
前記データ通信システムの制御方法は、
前記近距離無線通信によって送信された情報に基づいて前記情報処理装置及び前記データ通信装置の距離を測定する測定ステップと、
前記情報記録物の前記データ通信装置への残存を検知する検知ステップと、
前記測定された距離が所定の距離以上であり、且つ前記情報記録物の前記データ通信装置への残存が検知されたとき、前記情報処理装置の表示部に警告を表示させる表示制御ステップとを有することを特徴とするプログラム。
【請求項６】
表示部を有すると共にユーザに所持される情報処理装置と、データ通信装置とを備え、前記情報処理装置及び前記データ通信装置が近距離無線通信を行い、前記ユーザは情報が記録された情報記録物を前記データ通信装置に配置するデータ通信システムであって、
前記近距離無線通信によって送信された情報に基づいて前記情報処理装置及び前記データ通信装置の距離を測定する測定手段と、
前記情報記録物の前記データ通信装置への残存を検知する検知手段と、
前記測定された距離が所定の距離以上であり、且つ前記情報記録物の前記データ通信装置への残存が検知されたとき、前記情報処理装置の表示部に警告を表示させる表示制御手段とを有することを特徴とするデータ通信システム。
【請求項７】
前記測定手段は、ＢＬＥを用いた近距離無線通信によって送信される電波の強さを示す情報に基づいて前記情報処理装置及び前記データ通信装置の距離を測定することを特徴とする請求項６記載のデータ通信システム。
【請求項８】
前記所定の距離は、前記ＢＬＥを用いた近距離無線通信可能な距離を含むことを特徴とする請求項７記載のデータ通信システム。
【請求項９】
前記情報記録物は、原稿、印刷物、及び記録媒体からなる群から選択された少なくとも１つであることを特徴とする請求項６乃至８のいずれか１項に記載のデータ通信システム。
【請求項１０】
表示部を有すると共にユーザに所持される情報処理装置と近距離無線通信を行い、前記ユーザによって情報が記録された情報記録物が配置されるデータ通信装置であって、
前記近距離無線通信によって送信された情報に基づいて前記情報処理装置との距離を測定する測定手段と、
前記情報記録物の残存を検知する検知手段と、
前記測定された距離が所定の距離以上であり、且つ前記情報記録物の残存が検知されたとき、前記情報処理装置の表示部に警告を表示させる表示制御手段とを有することを特徴とするデータ通信装置。
【請求項１１】
前記測定手段は、ＢＬＥを用いた近距離無線通信によって送信される電波の強さを示す情報に基づいて前記情報処理装置との距離を測定することを特徴とする請求項１０記載のデータ通信装置。
【請求項１２】
前記所定の距離は、前記ＢＬＥを用いた近距離無線通信可能な距離を含むことを特徴とする請求項１１記載のデータ通信装置。
【請求項１３】
前記情報記録物は、原稿、印刷物、及び記録媒体からなる群から選択された少なくとも１つであることを特徴とする請求項１０乃至１２のいずれか１項に記載のデータ通信装置。
【請求項１４】
表示部を有すると共にユーザによって所持され、且つ前記ユーザによって情報が記録された情報記録物が配置されるデータ通信装置と近距離無線通信を行う情報処理装置であって、
前記近距離無線通信によって送信された情報に基づいて前記データ通信装置との距離を測定する測定手段と、
前記データ通信装置から送信された情報記録物の残存を示す信号を受信する受信手段と、
前記測定された距離が所定の距離以上であり、且つ前記データ通信装置から送信された情報記録物の残存を示す信号を受信したとき、前記表示部に警告を表示させる表示制御手段とを有することを特徴とする情報処理装置。
【請求項１５】
前記測定手段は、ＢＬＥを用いた近距離無線通信によって送信される電波の強さを示す情報に基づいて前記データ通信装置との距離を測定することを特徴とする請求項１４記載の情報処理装置。
【請求項１６】
前記所定の距離は、前記ＢＬＥを用いた近距離無線通信可能な距離を含むことを特徴とする請求項１５記載の情報処理装置。
【請求項１７】
前記情報記録物は、原稿、印刷物、及び記録媒体からなる群から選択された少なくとも１つであることを特徴とする請求項１４乃至１６のいずれか１項に記載の情報処理装置。
【発明の詳細な説明】
【技術分野】
【０００１】
本発明は、データ通信システムの制御方法、プログラム、データ通信システム、データ通信装置、及び情報処理装置に関し、特に、近距離無線通信を行うデータ通信システムの制御方法、プログラム、データ通信システム、データ通信装置、及び情報処理装置に関する。
【背景技術】
【０００２】
近距離無線通信機能を有するＭＦＰ等のデータ通信装置は、携帯端末等の情報処理装置と近距離無線通信によってデータ通信を行い、データ通信装置は近距離無線通信において送信される電波の強度に応じて情報処理装置との距離を測定する。さらに、データ通信装置は、測定した情報処理装置との距離に基づいて、例えば、情報処理装置を所持するユーザがデータ通信装置に接近したことを検知し、検知した結果に基づいて省電力モードから各種処理を実行する通常モードに移行する（例えば、特許文献１参照）。
【０００３】
例えば、コピー処理を行うデータ通信装置において、ユーザがデータ通信装置に接近すると、当該データ通信装置のモードが省電力モードから通常モードに移行し、ユーザによってコピー処理に用いられる画像データが準備され、各種設定情報が設定されると、コピー処理が実行される。データ通信装置において、画像データは、原稿台に配置された原稿等からスキャン処理によって読み取られ、又はデータ通信装置に接続されたＵＳＢ等の記録媒体から取得されて準備される。
【先行技術文献】
【特許文献】
【０００４】
【特許文献１】特開２０１３−１０８８２１号公報
【発明の概要】
【発明が解決しようとする課題】
【０００５】
しかしながら、ユーザは、コピー処理が実行された後、原稿や画像データが記録された記録媒体としての記録紙（以下、まとめて「情報記録物」という。）を取り忘れる場合がある。これにより、例えば、ユーザが情報記録物を取り忘れたことに気付かずにデータ通信装置から離れた場合、ユーザが取り忘れた情報記録物をユーザ以外の他のユーザが持ち出し、持ち出された情報記録物からユーザ以外の他のユーザに情報が漏洩してしまう可能性がある。
【０００６】
本発明の目的は、情報記録物の取り忘れによる情報の漏洩を抑制することができるデータ通信システムの制御方法、プログラム、データ通信システム、データ通信装置、及び情報処理装置を提供することにある。
【課題を解決するための手段】
【０００７】
上記目的を達成するために、本発明のデータ通信システムの制御方法は、表示部を有すると共にユーザに所持される情報処理装置と、データ通信装置とを備え、前記情報処理装置及び前記データ通信装置が近距離無線通信を行い、前記ユーザは情報が記録された情報記録物を前記データ通信装置に配置するデータ通信システムの制御方法であって、前記近距離無線通信によって送信された情報に基づいて前記情報処理装置及び前記データ通信装置の距離を測定する測定ステップと、前記情報記録物の前記データ通信装置への残存を検知する検知ステップと、前記測定された距離が所定の距離以上であり、且つ前記情報記録物の前記データ通信装置への残存が検知されたとき、前記情報処理装置の表示部に警告を表示させる表示制御ステップとを有することを特徴とする。
【発明の効果】
【０００８】
本発明によれば、情報記録物の取り忘れによる情報の漏洩を抑制することができる。
【図面の簡単な説明】
【０００９】
【図１】本発明の実施の形態に係るデータ通信装置としての画像形成装置を含むデータ通信システムの構成を概略的に示すブロック図である。
【図２】図１における画像形成装置の構成を概略的に示すブロック図である。
【図３】図１における携帯端末の構成を概略的に示すブロック図である。
【図４】図１のデータ通信システムによるＢＬＥ通信の設定処理を説明するための図である。
【図５Ａ】図１のデータ通信システムによって実行される警告表示処理を説明するためのフローチャートである。
【図５Ｂ】図１のデータ通信システムによって実行される警告表示処理を説明するためのフローチャートである。
【図６】図３の携帯端末の表示部に表示される警告メッセージの一例を示す図である。
【図７Ａ】図５Ａの警告表示処理の変形例を説明するためのフローチャート図である。
【図７Ｂ】図５Ｂの警告表示処理の変形例を説明するためのフローチャート図である。
【図８】図２の画像形成装置の表示部に表示される警告メッセージの一例を示す図である。
【図９】本実施の形態における原稿の残存結果が記録されたテーブルの一例を示す図である。
【発明を実施するための形態】
【００１０】
以下、本発明の実施の形態を図面を参照しながら詳述する。
【００１１】
本実施の形態では、データ通信装置としての画像形成装置に本発明を適用した場合について説明するが、本発明の適用先は画像形成装置に限られず、近距離無線通信を行うことができるデータ通信装置であれば本発明を適用することができる。
【００１２】
図１は、本発明の実施の形態に係るデータ通信装置としての画像形成装置１０１を含むデータ通信システム１００の構成を概略的に示すブロック図である。
【００１３】
図１において、データ通信システム１００は画像形成装置１０１及び情報処理装置としての携帯端末１０２を備える。画像形成装置１０１は、コントローラ部１０３、スキャナ部１０４、プリンタ部１０５、ＵＩ部１０６、及び近距離無線通信部１０７を備える。携帯端末１０２は、コントローラ部１０８、ＵＩ部１０９、及び近距離無線通信部１１０を備える。画像形成装置１０１及び携帯端末１０２は近距離無線通信部１０７，１１０を用いて互いに近距離無線通信、例えば、ＢＬＥ（Ｂｌｕｅｔｏｏｔｈ  Ｌｏｗ  Ｅｎｅｒｇｙ）を用いた無線通信（以下、「ＢＬＥ通信」という。）を行う。画像形成装置１０１は、例えば、スキャナ機能やコピー機能等の各種機能を有するＭＦＰからなる。画像形成装置１０１では、ユーザのＵＩ部１０６の操作によって設定された設定情報に基づいてコントローラ部１０３がスキャナ部１０４及びプリンタ部１０５にジョブを送信し、スキャナ部１０４及びプリンタ部１０５は受信したジョブに応じてスキャン処理やコピー処理を実行する。携帯端末１０２は、例えば、スマートフォン等の携帯電話、タブレット型パソコン、ノート型パソコン、ＰＤＡ等からなる。携帯端末１０２では、コントローラ部１０８から送信された制御信号に基づいてＵＩ部１０９に各種画面が表示される。
【００１４】
図２は、図１における画像形成装置１０１の構成を概略的に示すブロック図である。
【００１５】
図２において、画像形成装置１０１は、図１のコントローラ部１０３、スキャナ部１０４、プリンタ部１０５、ＵＩ部１０６、及び近距離無線通信部１０７の他に、原稿検知部２０１を備える。コントローラ部１０３は、ＣＰＵ２０２、ＲＡＭ２０３、ＲＯＭ２０４、記憶装置２０５、画像処理部２０６、エンジンＩ／Ｆ２０７、スキャナＩ／Ｆ２０８、近距離無線コントローラ２０９、操作部コントローラ２１０、及び外部Ｉ／Ｆ２１１を備える。コントローラ部１０３に設けられる上述した各構成要素はシステムバス２１２で互いに接続されている。ＵＩ部１０６は表示部２１３を備える。
【００１６】
原稿検知部２０１は、スキャナ部１０４で用いられる原稿が画像形成装置１０１の図示しない原稿台に配置されているかを検知する。本実施の形態において、原稿検知部２０１は、例えば、コピー処理が終了した後、当該コピー処理で用いられた原稿が画像形成装置１０１の原稿台に残存しているかを検知する。
【００１７】
ＣＰＵ２０２は画像形成装置１０１に設けられる各構成要素を統括的に制御する。ＲＡＭ２０３は、ＣＰＵ２０２の作業領域として用いられ、ＣＰＵ２０２によって用いられる演算データや各種プログラムを格納する。さらに、ＲＡＭ２０３は、画像処理部２０６によって画像処理された画像データを一時的に格納する。ＲＯＭ２０４は、ＣＰＵ２０２によって用いられる各種プログラム、画像データ、及び設定データを格納する。記憶装置２０５はデータ量が大きいプログラム及び各種データを格納する。エンジンＩ／Ｆ２０７はプリンタ部１０５とデータ通信を行う。例えば、エンジンＩ／Ｆ２０７はＣＰＵ２０２から送信された制御信号に応じてコピー処理の実行に対応するジョブをプリンタ部１０５に送信し、プリンタ部１０５は受信したジョブに基づいてコピー処理を実行する。スキャナＩ／Ｆ２０８はスキャナ部１０４とデータ通信を行う。例えば、スキャナＩ／Ｆ２０８はＣＰＵ２０２から送信された制御信号に応じてスキャン処理の実行に対応するジョブをスキャナ部１０４に送信し、スキャナ部１０４は受信したジョブに基づいてスキャン処理を実行する。近距離無線コントローラ２０９は近距離無線通信部１０７を介して携帯端末１０２とＢＬＥ通信を行う。操作部コントローラ２１０はＵＩ部１０６とデータ通信を行う。例えば、操作部コントローラ２１０は、ユーザがＵＩ部１０６を用いて設定した設定情報をＵＩ部１０６から取得する。また、操作部コントローラ２１０は、ＣＰＵ２０２から送信された制御信号に基づいてＵＩ部１０６の表示部２１３に各種操作画面を表示させる。外部Ｉ／Ｆ２１１は、例えば、図示しないＵＳＢコネクタで接続された各種機器、図示しない有線ＬＡＮを介して接続された各種機器、及び公衆回線網を介して接続されたＦＡＸ装置と夫々データ通信を行う。
【００１８】
図３は、図１における携帯端末１０２の構成を概略的に示すブロック図である。
【００１９】
図３において、携帯端末１０２は、図１のコントローラ部１０８、ＵＩ部１０９、及び近距離無線通信部１１０を備える。コントローラ部１０８は、ＣＰＵ３０１、ＲＡＭ３０２、ＲＯＭ３０３、記憶装置３０４、通話部３０５、表示コントローラ３０６、操作部コントローラ３０７、近距離無線コントローラ３０８、及び通信部３０９を備える。コントローラ部１０８に設けられる上述した各構成要素はシステムバス３１０で互いに接続されている。ＵＩ部１０９は、表示部３１１、タッチパネル３１２、及びキー３１３を備える。
【００２０】
ＣＰＵ３０１は携帯端末１０２に設けられる各構成要素を統括的に制御する。ＲＡＭ３０２は、ＣＰＵ３０１の作業領域として用いられ、ＣＰＵ３０１によって用いられる演算データや各種プログラムを格納する。ＲＯＭ３０３は、ＣＰＵ３０１によって用いられる各種プログラム、画像データ、設定データ、画像形成装置１０１と通信を行う際に用いられる各種アプリケーション等を格納する。記憶装置３０４はデータ量が大きいプログラム及び各種データを格納する。通話部３０５は公衆回線を介して接続された携帯電話等と電話を行う。表示コントローラ３０６はＵＩ部１０９の表示部３１１とデータ通信を行う。例えば、表示コントローラ３０６はＣＰＵ３０１から送信された制御信号に応じて表示部３１１への表示に対応する表示制御ジョブを表示部３１１に送信する。本実施の形態において、表示部３１１には、ＣＰＵ３０１の制御信号に応じて、例えば、後述する図６に示す警告メッセージが表示される。操作部コントローラ３０７はＵＩ部１０９のタッチパネル３１２及びキー３１３とデータ通信を行う。例えば、操作部コントローラ３０７は、ユーザのタッチパネル３１２及びキー３１３の操作によって設定された設定情報をタッチパネル３１２及びキー３１３から取得する。近距離無線コントローラ３０８は近距離無線通信部１１０を介して画像形成装置１０１とＢＬＥ通信を行う。通信部３０９は、例えば、図示しないＵＳＢコネクタで接続された各種機器とデータ通信を行う。
【００２１】
次に、データ通信システム１００によって行われるＢＬＥ通信について説明する。
【００２２】
図４は、図１のデータ通信システム１００によるＢＬＥ通信の設定処理を説明するための図である。
【００２３】
図４の処理では、画像形成装置１０１及び携帯端末１０２によるＢＬＥ通信が確立されるまでを説明する。
【００２４】
図４において、まず、画像形成装置１０１は、信号の送受信を行わないスタンバイ状態から一定の間隔でアドバタイジング・パケットを携帯端末１０２に送信するアドバタイジング状態に遷移する（ステップＳ４０１）。アドバタイジング・パケットには、後述するＢＬＥ通信による距離の測定で用いられるＴｘ  Ｐｏｗｅｒ  Ｌｅｖｅｌが含まれる。次いで、携帯端末１０２は、画像形成装置１０１から送信されたアドバタイジング・パケットを受信すると、ＢＬＥ通信の設定情報（以下、「ＢＬＥ設定情報」という。）の送信要求通知を画像形成装置１０１に送信する（ステップＳ４０２）。次いで、画像形成装置１０１は受信した送信要求通知に応じてＢＬＥ設定情報を含むアドバタイジング・パケットを携帯端末１０２に送信する（ステップＳ４０３）。次いで、携帯端末１０２は、受信したアドバタイジング・パケットに含まれるＢＬＥ設定情報に基づいてＢＬＥ通信を行う通信先、すなわち、画像形成装置１０１を特定する（ステップＳ４０４）。次いで、携帯端末１０２は、ステップＳ４０４で特定した画像形成装置１０１からアドバタイジング・パケットを受信すると、画像形成装置１０１に接続要求通知を送信する（ステップＳ４０５）。次いで、画像形成装置１０１は、携帯端末１０２から送信された接続要求通知に応じて携帯端末１０２とのＢＬＥ通信の接続を行う（ステップＳ４０６）。これにより、画像形成装置１０１及び携帯端末１０２のＢＬＥ通信が確立される。
【００２５】
図５Ａ及び図５Ｂは、図１のデータ通信システム１００によって実行される警告表示処理を説明するためのフローチャートである。
【００２６】
ユーザは、例えば、コピー処理が実行された後、コピー処理で用いられた原稿を取り忘れる場合がある。これにより、例えば、原稿を取り忘れたことに気付かずに画像形成装置１０１から離れた場合、ユーザが取り忘れた原稿をユーザ以外の他のユーザが持ち出し、持ち出された原稿からユーザ以外の他のユーザに情報が漏洩してしまう可能性がある。
【００２７】
これに対応して、図５Ａ及び図５Ｂの処理では、ユーザが所持する携帯端末１０２及び画像形成装置１０１の距離が所定の距離以上であり、且つ画像形成装置１０１の原稿台に原稿が残存していることが検知されたとき、携帯端末１０２の表示部３１１に警告メッセージを表示させる。なお、画像形成装置１０１及び携帯端末１０２の距離の測定は、画像形成装置１０１及び携帯端末１０２の少なくとも一方で行われていればよく、図５Ａ及び図５Ｂの処理では、一例として、携帯端末１０２が上記距離の測定を行う場合について説明する。
【００２８】
図５Ａの処理において、まず、画像形成装置１０１は、図４に示すＢＬＥ通信の設定処理を実行し、携帯端末１０２とのＢＬＥ通信を確立する（ステップＳ５０１）。次いで、画像形成装置１０１はユーザのＵＩ部１０６の操作によって設定された設定情報に基づいて、例えば、コピー処理を実行する（ステップＳ５０２）。次いで、画像形成装置１０１は、コピー処理が完了すると、コピー処理が完了したことを示す完了通知を携帯端末１０２に送信する（ステップＳ５０３）。次いで、画像形成装置１０１は、後述するステップＳ５１４，Ｓ５１７で携帯端末１０２から確認依頼通知が送信されるまで待機し（ステップＳ５０４）、携帯端末１０２から送信された確認依頼通知を受信すると（ステップＳ５０４でＹＥＳ）、受信した確認依頼通知に応じて原稿検知部２０１の検知結果を取得する。さらに、画像形成装置１０１は、取得した検知結果、すなわち、原稿台に原稿が残存しているか否かのいずれかを検知結果通知として携帯端末１０２に送信する（ステップＳ５０５）。次いで、画像形成装置１０１は、取得した検知結果を解析し、原稿が画像形成装置１０１の原稿台に残存しているか否かを判別する（ステップＳ５０６）。
【００２９】
ステップＳ５０６の判別の結果、原稿が画像形成装置１０１の原稿台に残存しているとき、画像形成装置１０１はステップＳ５０５の処理に戻り、原稿台に原稿が残存している旨の検知結果通知を携帯端末１０２に送信する。
【００３０】
ステップＳ５０６の判別の結果、原稿が画像形成装置１０１の原稿台に残存していないとき、画像形成装置１０１は以降、検知結果通知を携帯端末１０２に送信することなく本処理を終了する。
【００３１】
一方、図５Ｂの処理において、携帯端末１０２は、図４に示すＢＬＥ通信の設定処理を実行し、画像形成装置１０１とのＢＬＥ通信を確立する（ステップＳ５１１）。次いで、携帯端末１０２は、ステップＳ５０３で画像形成装置１０１から完了通知が送信されるまで待機し（ステップＳ５１２）、画像形成装置１０１から送信された完了通知を受信すると（ステップＳ５１２でＹＥＳ）、画像形成装置１０１及び携帯端末１０２の距離が予め設定された所定の距離より小さい、つまり、「Ｉｍｍｅｄｉａｔｅ」であるか否かを判別する（ステップＳ５１３）。本実施の形態では、所定の距離としてＢＬＥ通信を行うことができる距離が設定され、画像形成装置１０１から送信されるアドバタイジング・パケットに含まれるＴｘ  Ｐｏｗｅｒ  Ｌｅｖｅｌを閾値として、当該Ｔｘ  Ｐｏｗｅｒ  Ｌｅｖｅｌと携帯端末１０２がＢＬＥ通信によって受信した電波の強さ（以下、「受信電波の強さ」という。）とを比較し、比較した結果に基づいて画像形成装置１０１及び携帯端末１０２の距離が測定される（測定手段）。測定された距離は、「Ｉｍｍｅｄｉａｔｅ」、「Ｎｅａｒ」、「Ｆａｒ」の３段階のいずれかに分別される。例えば、受信電波の強さがＴｘ  Ｐｏｗｅｒ  Ｌｅｖｅｌとほぼ等しい場合、測定された距離は「Ｎｅａｒ」に分別され、受信電波の強さがＴｘ  Ｐｏｗｅｒ  Ｌｅｖｅｌより大きい場合、測定された距離は「Ｉｍｍｅｄｉａｔｅ」に分別され、受信電波の強さがＴｘ  Ｐｏｗｅｒ  Ｌｅｖｅｌより小さい場合、測定された距離は「Ｆａｒ」に分別される。本実施の形態では、測定された距離が「Ｉｍｍｅｄｉａｔｅ」である場合、携帯端末１０２を所持するユーザが画像形成装置１０１から離れていない、つまり、画像形成装置１０１の近傍にいることを示し、測定された距離が「Ｎｅａｒ」又は「Ｆａｒ」である場合、携帯端末１０２を所持するユーザが画像形成装置１０１から離れたことを示す。
【００３２】
ステップＳ５１３の判別の結果、画像形成装置１０１及び携帯端末１０２の距離が予め設定された所定の距離以上、つまり、「Ｎｅａｒ」又は「Ｆａｒ」であるとき、携帯端末１０２は、当該携帯端末１０２を所持するユーザが画像形成装置１０１から離れたと判断し、コピー処理で用いられた原稿が画像形成装置１０１の原稿台に残存しているか否かを確認する確認依頼通知を画像形成装置１０１に送信する（ステップＳ５１４）。次いで、携帯端末１０２は、ステップＳ５０５で画像形成装置１０１から送信された検知結果通知を受信し、受信した検知結果通知を解析する。その後、携帯端末１０２は、検知結果通知の解析によって原稿が画像形成装置１０１の原稿台に残存しているか否かを判別する（ステップＳ５１５）。
【００３３】
ステップＳ５１５の判別の結果、原稿が画像形成装置１０１の原稿台に残存しているとき、携帯端末１０２は、当該携帯端末１０２の表示部３１１に図６に示すような原稿の取り忘れを示す警告メッセージを表示する（ステップＳ５１６）（表示制御手段）。すなわち、本実施の形態では、携帯端末１０２を所持するユーザが画像形成装置１０１から離れたと判断され、且つ原稿の原稿台への残存が検知されると、ユーザが原稿を取り忘れたと判別し、ユーザが所持する携帯端末１０２の表示部３１１に原稿の取り忘れを示す警告メッセージが表示される。携帯端末１０２はステップＳ５１６の処理の後にステップＳ５１３の処理に戻る。
【００３４】
ステップＳ５１３の判別の結果、画像形成装置１０１及び携帯端末１０２の距離が予め設定された所定の距離より短い、つまり、「Ｉｍｍｅｄｉａｔｅ」であるとき、携帯端末１０２は、原稿が画像形成装置１０１の原稿台に残存しているか否かを確認する確認依頼通知を画像形成装置１０１に送信する（ステップＳ５１７）。次いで、携帯端末１０２は、ステップＳ５０５で画像形成装置１０１から送信された検知結果通知を受信し、受信した検知結果通知を解析して原稿が画像形成装置１０１の原稿台に残存しているか否かを判別する（ステップＳ５１８）。
【００３５】
ステップＳ５１８の判別の結果、原稿が画像形成装置１０１の原稿台に残存しているとき、携帯端末１０２はステップＳ５１３の処理に戻る。
【００３６】
ステップＳ５１５の判別の結果又はステップＳ５１８の判別の結果、原稿が画像形成装置１０１の原稿台に残存していないとき、携帯端末１０２は本処理を終了する。
【００３７】
図５Ａ及び図５Ｂの処理によれば、ユーザに所持される携帯端末１０２及び画像形成装置１０１の距離が所定の距離以上、つまり、「Ｎｅａｒ」又は「Ｆａｒ」であり、且つ画像形成装置１０１の原稿台に原稿が残存していることが検知されたとき、携帯端末１０２の表示部３１１に図６に示す警告メッセージが表示される。ここで、原稿が画像形成装置１０１の原稿台に残存したまま、ユーザが画像形成装置１０１から所定の距離以上離れた場合は、ユーザが原稿を取り忘れた場合に他ならない。したがって、原稿を取り忘れたユーザに警告を表示することができ、もって、原稿の取り忘れによる情報の漏洩を抑制することができる。
【００３８】
また、図５Ａ及び図５Ｂの処理によれば、ＢＬＥ通信によって画像形成装置１０１から送信されるＴｘ  Ｐｏｗｅｒ  Ｌｅｖｅｌ及び携帯端末で受信する受信電波の強さに基づいて画像形成装置１０１及び携帯端末１０２の距離が測定される。これにより、例えば、衛星から電波を受信するＧＰＳを用いた測距を行うことができないビルや地下の部屋においても、画像形成装置１０１及び携帯端末１０２の距離を測定することができるので、画像形成装置１０１及び携帯端末１０２の配置場所に関して制約を受けることなく、ユーザが原稿を取り忘れたと判断することができる。
【００３９】
さらに、図５Ａ及び図５Ｂの処理によれば、所定の距離はＢＬＥ通信を行うことができる（近距離無線通信可能）距離に該当する。これにより、ＢＬＥ通信における受信電波の強さに基づいて画像形成装置１０１及び携帯端末１０２の距離を確実に測定することができる。
【００４０】
以上、本発明について実施の形態を用いて説明したが、本発明は上述した実施の形態に限定されるものではない。
【００４１】
例えば、図７Ａ及び図７Ｂに示すように携帯端末１０２は画像形成装置１０１から送信される後述する残存判別通知を格納し、格納した残存判別通知に基づいて原稿が画像形成装置１０１の原稿台に残存しているか否かを判別してもよい。
【００４２】
図７Ａ及び図７Ｂは、図５Ａ及び図５Ｂの警告表示処理の変形例を説明するためのフローチャート図である。
【００４３】
なお、図７Ａ及び図７Ｂの処理においても、一例として、携帯端末１０２が画像形成装置１０１及び携帯端末１０２の距離の測定を行う場合について説明する。
【００４４】
図７Ａの処理において、まず、画像形成装置１０１は、図５ＡのステップＳ５０１〜Ｓ５０３と同様の処理を行う。次いで、画像形成装置１０１は、原稿検知部２０１の検知結果を取得し、取得した検知結果を解析し、原稿が画像形成装置１０１の原稿台に残存しているか否かを示す残存判別通知を携帯端末１０２に送信して（ステップＳ７０１）、本処理を終了する。一方、図７Ｂの処理において、携帯端末１０２は、図５ＢのステップＳ５１１，Ｓ５１２と同様の処理を行い、ステップＳ７０１で画像形成装置１０１から送信された残存判別通知を携帯端末１０２のＲＡＭ３０２及び記憶装置３０４に格納する（ステップＳ７１１）。次いで、携帯端末１０２は、画像形成装置１０１及び携帯端末１０２の距離が「Ｉｍｍｅｄｉａｔｅ」であるか否かを判別する（ステップＳ７１２）。
【００４５】
ステップＳ７１２の判別の結果、画像形成装置１０１及び携帯端末１０２の距離が「Ｎｅａｒ」又は「Ｆａｒ」であるとき、携帯端末１０２は、当該携帯端末１０２を所持するユーザが画像形成装置１０１から離れたと判断し、ステップＳ７１１で格納された残存判別通知に基づいて原稿が画像形成装置１０１の原稿台に残存しているか否かを判別する（ステップＳ７１３）。
【００４６】
ステップＳ７１３の判別の結果、原稿が画像形成装置１０１の原稿台に残存しているとき、情報処理装置１０２の表示部３１１に図６に示すような原稿の取り忘れを示す警告メッセージを表示し（ステップＳ７１４）、ステップＳ７１１の処理に戻る。
【００４７】
ステップＳ７１２の判別の結果、画像形成装置１０１及び携帯端末１０２の距離が「Ｉｍｍｅｄｉａｔｅ」であるとき、ステップＳ７１１で格納された残存判別通知に基づいて原稿が画像形成装置１０１の原稿台に残存しているか否かを判別する（ステップＳ７１５）。
【００４８】
ステップＳ７１５の判別の結果、原稿が画像形成装置１０１の原稿台に残存しているとき、携帯端末１０２はステップＳ７１２の処理に戻る。
【００４９】
ステップＳ７１３の判別の結果又はステップＳ７１５の判別の結果、原稿が画像形成装置１０１の原稿台に残存していないとき、携帯端末１０２は本処理を終了する。
【００５０】
図７Ａ及び図７Ｂの処理によれば、画像形成装置１０１によって原稿検知部２０１の検知結果が解析されるので、図５Ａ及び図５Ｂの処理に比べて携帯端末１０２の解析処理の負担を軽減することができる。
【００５１】
上述した図７Ａ及び図７Ｂの処理において、画像形成装置１０１及び携帯端末１０２の距離が「Ｉｍｍｅｄｉａｔｅ」であり、且つ原稿が画像形成装置１０１の原稿台に残存しているとき、画像形成装置１０１の表示部２１３に図８に示す原稿の取り忘れを示す警告メッセージを表示してもよい。これにより、ユーザが画像形成装置１０１の近くにいる場合、携帯端末１０２の表示部を確認することなく、ユーザに原稿の取り忘れを気付かせる機会を与えることができる。
【００５２】
また、上述した図７Ａ及び図７Ｂの処理において、画像形成装置１０１の表示部２１３に図８に示す原稿の取り忘れを示す警告メッセージが表示された後に画像形成装置１０１及び携帯端末１０２の距離が「Ｎｅａｒ」又は「Ｆａｒ」となると、画像形成装置１０１の表示部２１３への警告メッセージの表示を中止し、携帯端末１０２の表示部３１１に図６に示す警告メッセージを表示してもよい。ここで、画像形成装置１０１及び携帯端末１０２の距離が「Ｎｅａｒ」又は「Ｆａｒ」となり、携帯端末１０２を所持するユーザが画像形成装置１０１から離れてしまうと、ユーザが画像形成装置１０１の表示部２１３を確認できない、若しくは確認しにくくなるが、原稿の取り忘れを示す警告メッセージの表示先が画像形成装置１０１の表示部２１３から携帯端末１０２の表示部３１１に切り替わるので、警告メッセージの表示の機会を必要最小限にしつつ、ユーザによる警告メッセージの表示の確認を容易にすることができる。
【００５３】
上述した図５Ａ、図５Ｂ、図７Ａ、及び図７Ｂの処理において、画像形成装置１０１及び携帯端末１０２の距離の測定を実行する主体は携帯端末１０２に限られず、例えば、画像形成装置１０１であってもよい。これにより、携帯端末１０２による測定処理の負荷を軽減することができる。
【００５４】
また、上述した図５Ａ、図５Ｂ、図７Ａ、及び図７Ｂの処理において、原稿の残存が検知された際、図９に示すようなテーブルに検知結果を記録してもよく、テーブルには、例えば、原稿の残存を検知した時間や原稿の残存を行ったユーザを特定するユーザ情報が含まれることが好ましい。その結果、例えば、ユーザがＢＬＥ通信を行えない距離まで画像形成装置１０１から離れてしまっても、図９に示すテーブルに基づいて、例えば、Ｗｉ−ｆｉを用いた無線通信を用いて定期的に携帯端末１０２の表示部３１１に警告メッセージを表示させることができる。
【００５５】
上述した図５Ａ、図５Ｂ、図７Ａ、及び図７Ｂの処理において、検知された原稿の残存に基づいて警告メッセージを表示しているが、残存を検知する対象は原稿以外の情報記録物、例えば、コピー処理によって画像データが印刷された印刷物や画像形成装置に接続されるＵＳＢを含む記録媒体であってもよい。
【００５６】
本発明は、上述の実施の形態の１以上の機能を実現するプログラムを、ネットワーク又は記憶媒体を介してシステム又は装置に供給し、そのシステム又は装置のコンピュータにおける１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００５７】
１０１  画像形成装置
１０２  携帯端末
１０７，１１０  近距離無線通信部
２０１  原稿検知部
３１１  表示部
【図１】
2016111553.tif 000003
【図２】
2016111553.tif 000004
【図３】
2016111553.tif 000005
【図４】
2016111553.tif 000006
【図５Ａ】
2016111553.tif 000007
【図５Ｂ】
2016111553.tif 000008
【図６】
2016111553.tif 000009
【図７Ａ】
2016111553.tif 000010
【図７Ｂ】
2016111553.tif 000011
【図８】
2016111553.tif 000012
【図９】
2016111553.tif 000013